【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
一次電流経路を有する回路を過電流条件から保護するためのデバイスであって、
前記デバイスを通して前記一次電流経路を配索するように構成される、第１の端子および第２の端子と、
第１のゲートと、第１のドレインと、第１のソースとを備える、第１のトランジスタであって、
前記第１のトランジスタは、空乏モードのノーマリオントランジスタであり、
前記第１のトランジスタは、前記第１の端子と前記第２の端子との間の前記一次電流経路内で直列に配列される、第１のトランジスタと、
ドライバ回路であって、
前記ドライバ回路は、前記第１の端子と前記第２の端子との間の電圧のみから導出される入力電圧を受電し、前記入力電圧を放出可能に貯蔵される電圧に変換するように適合される電圧コンバータ回路を備え、前記ドライバ回路は、前記放出可能に貯蔵される電圧またはその微分電圧を、前記第１のソースに対する前記第１のゲートにおけるゲート電圧として印加するように構成され、
前記ドライバ回路は、前記入力電圧を逓倍し、反転させることによって、前記入力電圧を前記放出可能に貯蔵される電圧に変換し、
前記電圧コンバータ回路は、スイッチコンデンサ回路網を備える、ドライバ回路と
を備え、
第１の正の電圧および通常の電流条件が前記第１の端子から前記第２の端子に存在するとき、
前記第１のトランジスタは、電流を前記第１の端子と前記第２の端子との間に通過させるように構成され、
第２の正の電圧および深刻な過電流条件が前記第１の端子から前記第２の端子に存在するとき、
前記ドライバ回路は、前記放出可能に貯蔵される電圧またはその微分電圧を前記ゲート電圧として印加することによって、前記第１のトランジスタを遮断空乏モードに駆動するように構成され、
前記デバイスは、通常の電流条件中に電流を通過させ、深刻な過電流条件中に電流を実質的に遮断するように構成される、デバイス。
【請求項２】
前記電圧コンバータ回路は、前記入力電圧を２０マイクロ秒以内に変換するように構成される、請求項１に記載のデバイス。
【請求項３】
前記電圧コンバータ回路は、１００マイクロ秒以内に前記入力電圧を前記放出可能に貯蔵される電圧に変換する、請求項１に記載のデバイス。
【請求項４】
前記スイッチコンデンサ回路網は、並列／直列スイッチコンデンサ回路網である、請求項１に記載のデバイス。
【請求項５】
第３の正の電圧およびわずかな過電流条件が前記第１の端子から前記第２の端子に存在するとき、
前記ドライバ回路は、前記放出可能に貯蔵される電圧またはその微分電圧を前記ゲート電圧として印加することによって、前記第１のトランジスタを電流限定モードに駆動するように構成され、
前記デバイスは、わずかな過電流条件中に電流を限定するように構成される、請求項１−４のうちのいずれか１項に記載のデバイス。
【請求項６】
過電流条件に対して回路を保護するための方法であって、
デバイスを提供することであって、前記デバイスは、
第１の端子および第２の端子と、
第１のゲートと、第１のドレインと、第１のソースとを備える、第１のトランジスタと
を有し、
前記第１のトランジスタは、空乏モードのノーマリオントランジスタであり、
前記第１のトランジスタは、前記第１の端子と前記第２の端子との間の一次電流経路内で直列に配列され、
前記デバイスは、いかなる補助電力も受電しないように構成される、ことと、
前記回路内を流動する全ての電流が、前記デバイスを通して流動する、またはそれによって遮断されるように、前記第１の端子および前記第２の端子を前記回路内で直列電気連通するように配置することと、
非ゼロ電圧が前記第１の端子と前記第２の端子との間に存在するとき、
スイッチコンデンサ回路網を介して前記非ゼロ電圧を逓倍し、反転させることによって、前記非ゼロ電圧を変換し、放出可能に貯蔵される電圧を取得することと、
前記放出可能に貯蔵される電圧を浮動させ、浮動電圧を取得することと、
深刻な過電流条件が前記第１の端子と前記第２の端子との間に存在するとき、
前記浮動電圧を前記第１のゲートに印加し、前記第１のトランジスタを遮断空乏モードに駆動することと、
それによって、前記第１の端子と前記第２の端子との間の実質的に全ての電流を遮断することと、
それによって、前記回路を前記過電流条件から保護することと
を含む、方法。
【請求項７】
前記非ゼロ電圧を変換し、放出可能に貯蔵される電圧を取得することは、自己触媒的に起こる、請求項６に記載の方法。
【請求項８】
過電流条件に対して回路を保護するための方法であって、
デバイスを提供することであって、前記デバイスは、
第１の端子および第２の端子と、
第１のゲートと、第１のドレインと、第１のソースとを備える、第１のトランジスタと
を有し、
前記第１のトランジスタは、空乏モードのノーマリオントランジスタであり、
前記第１のトランジスタは、前記第１の端子と前記第２の端子との間の一次電流経路内で直列に配列され、
前記デバイスは、いかなる補助電力も受電しないように構成される、ことと、
前記回路内を流動する全ての電流が、前記デバイスを通して流動する、またはそれによって限定されるように、前記第１の端子および前記第２の端子を前記回路内で直列電気連通するように配置することと、
非ゼロ電圧が前記第１の端子と前記第２の端子との間に存在するとき、
スイッチコンデンサ回路網を介して前記非ゼロ電圧を逓倍し、反転させることによって、前記非ゼロ電圧を変換し、放出可能に貯蔵される電圧を取得することと、
前記放出可能に貯蔵される電圧を浮動させ、浮動電圧を取得することと、
わずかな過電流条件が前記第１の端子と前記第２の端子との間に存在するとき、
前記浮動電圧を前記第１のゲートに印加し、前記第１のトランジスタを電流限定モードに駆動することと、
それによって、前記第１の端子と前記第２の端子との間の電流を限定することと、
それによって、前記回路を前記過電流条件から保護することと
を含む、方法。
【請求項９】
前記非ゼロ電圧を変換し、放出可能に貯蔵される電圧を取得することは、自己触媒的に起こる、請求項８に記載の方法。
【手続補正２】
【補正対象書類名】明細書
【補正対象項目名】００２５
【補正方法】変更
【補正の内容】
【００２５】
本開示は、ある具体的実施形態を提供するが、本発明は、それらの実施形態に限定されない。当業者は、修正が説明される実施形態に成され得、したがって、本明細書は説明される実施形態よりも範囲が広いことを、本明細書の説明から理解するであろう。全ての実施例は、したがって、非限定的である。
本願明細書は、例えば、以下の項目も提供する。
（項目１）
一次電流経路を有する回路を過電流条件から保護するためのデバイスであって、
前記デバイスを通して前記一次電流経路を配索するように構成される、第１の端子および第２の端子と、
第１のゲートと、第１のドレインと、第１のソースとを備える、第１のトランジスタであって、
前記第１のトランジスタは、空乏モードのノーマリオントランジスタであり、
前記第１のトランジスタは、前記第１の端子と前記第２の端子との間の前記一次電流経路内で直列に配列される、
第１のトランジスタと、
ドライバ回路であって、
前記ドライバ回路は、前記第１の端子と前記第２の端子との間の電圧のみから導出される入力電圧を受電し、前記入力電圧を放出可能に貯蔵される電圧に変換するように適合される電圧コンバータ回路を備え、前記ドライバ回路は、前記放出可能に貯蔵される電圧またはその微分電圧を、前記第１のソースに対する前記第１のゲートにおけるゲート電圧として印加するように構成される、
ドライバ回路と、
を備え、
第１の正の電圧および通常の電流条件が前記第１の端子から前記第２の端子に存在するとき、
前記第１のトランジスタは、電流を前記第１の端子と前記第２の端子との間に通過させるように構成され、
第２の正の電圧および深刻な過電流条件が前記第１の端子から前記第２の端子に存在するとき、
前記ドライバ回路は、前記放出可能に貯蔵される電圧またはその微分電圧を前記ゲート電圧として印加することによって、前記第１のトランジスタを遮断空乏モードに駆動するように構成され、
前記デバイスは、通常の電流条件中に電流を通過させ、深刻な過電流条件中に電流を実質的に遮断するように構成される、
デバイス。
（項目２）
前記電圧コンバータ回路は、前記入力電圧を２０ナノ秒以内に変換するように構成される、項目１に記載のデバイス。
（項目３）
前記ドライバ回路は、前記入力電圧を逓倍し、反転させることによって、前記入力電圧を放出可能に貯蔵される電圧に変換し、
前記電圧コンバータ回路は、スイッチコンデンサ回路網を備え、１００マイクロ秒以内に前記入力電圧を前記放出可能に貯蔵される電圧に変換する、
項目１に記載のデバイス。
（項目４）
前記スイッチコンデンサ回路網は、並列／直列スイッチコンデンサ回路網である、項目３に記載のデバイス。
（項目５）
第３の正の電圧およびわずかな過電流条件が前記第１の端子から前記第２の端子に存在するとき、
前記ドライバ回路は、前記放出可能に貯蔵される電圧またはその微分電圧を前記ゲート電圧として印加することによって、前記第１のトランジスタを電流限定モードに駆動するように構成され、
前記デバイスは、わずかな過電流条件中に電流を限定するように構成される、
項目１−４のうちのいずれか１項に記載のデバイス。
（項目６）
前記電圧コンバータ回路は、前記入力電圧を自己触媒的に変換するように構成される、項目１−５のうちのいずれか１項に記載のデバイス。
（項目７）
前記デバイスは、いずれの補助電力供給源も伴わずに動作するように構成される、項目１−６のうちのいずれか１項に記載のデバイス。
（項目８）
前記デバイスは、インダクタを備えていない、項目１−７のうちのいずれか１項に記載のデバイス。
（項目９）
前記デバイスは、変圧器を備えていない、項目１−８のうちのいずれか１項に記載のデバイス。
（項目１０）
前記デバイスは、前記第１の端子および前記第２の端子以外にいかなる端子も備えていない、項目１−９のうちのいずれか１項に記載のデバイス。
（項目１１）
前記第１のトランジスタは、空乏モードのノーマリオンＧａＮトランジスタである、項目１−１０のうちのいずれか１項に記載のデバイス。
（項目１２）
前記第１のトランジスタと並列電気連通して配列される、少なくとも１つの第２のトランジスタをさらに備え、
前記少なくとも１つの第２のトランジスタの各第２のトランジスタは、第２のゲートと、第２のドレインと、第２のソースとを備え、
前記少なくとも１つの第２のトランジスタは、前記第２の正の電圧および前記深刻な過電流条件が前記第１の端子から前記第２の端子に存在するとき、遮断空乏モードに駆動されるように構成され、
前記少なくとも１つの第２のトランジスタは、前記第３の正の電圧および前記わずかな過電流条件が前記第１の端子から前記第２の端子に存在するとき、電流限定モードに駆動されるように構成される、
項目５−１１のうちのいずれか１項に記載のデバイス。
（項目１３）
前記ドライバ回路はさらに、前記放出可能に貯蔵される電圧を浮動させ、浮動電圧を取得するように構成される電圧浮動回路を備え、
前記ドライバ回路は、前記浮動電圧または前記浮動電圧の微分を前記ゲート電圧として印加するように構成される、
項目１−１２のうちのいずれか１項に記載のデバイス。
（項目１４）
温度応答要素をさらに備え、前記温度応答要素は、前記第１のトランジスタと、存在する場合には前記少なくとも１つの第２のトランジスタとに一次電流経路内で直列に配列され、
前記温度応答要素は、前記深刻な過電流条件が存在するとき、前記ドライバ回路に、前記第１のトランジスタを遮断空乏モードに駆動させるように構成される、
項目１−１３のうちのいずれか１項に記載のデバイス。
（項目１５）
過電流条件に対して回路を保護するための方法であって、
デバイスを提供するステップであって、前記デバイスは、
第１の端子および第２の端子と、
第１のゲートと、第１のドレインと、第１のソースとを備える、第１のトランジスタと、
を有し、
前記第１のトランジスタは、空乏モードのノーマリオントランジスタであり、
前記第１のトランジスタは、前記第１の端子と前記第２の端子との間の一次電流経路内で直列に配列され、
前記デバイスは、いかなる補助電力も受電しないように構成される、
ステップと、
前記回路内を流動する全ての電流が、前記デバイスを通して流動する、またはそれによって遮断されるように、前記第１の端子および前記第２の端子を前記回路内で直列電気連通するように配置するステップと、
非ゼロ電圧が前記第１の端子と前記第２の端子との間に存在するとき、
前記非ゼロ電圧を変換し、放出可能に貯蔵される電圧を取得するステップと、
前記放出可能に貯蔵される電圧を浮動させ、浮動電圧を取得するステップと、
過電流条件が前記第１の端子と前記第２の端子との間に存在するとき、
前記浮動電圧を前記第１のゲートに印加し、前記第１のトランジスタを遮断空乏モードに駆動するステップと、
それによって、前記第１の端子と前記第２の端子との間の実質的に全ての電流を遮断するステップと、
それによって、前記回路を前記過電流条件から保護するステップと、
を含む、方法。
（項目１６）
前記非ゼロ電圧を変換し、放出可能に貯蔵される電圧を取得するステップは、自己触媒的に起こる、項目１４に記載の方法。
（項目１７）
過電流条件に対して回路を保護するための方法であって、
デバイスを提供するステップであって、前記デバイスは、
第１の端子および第２の端子と、
第１のゲートと、第１のドレインと、第１のソースとを備える、第１のトランジスタと、
を有し、
前記第１のトランジスタは、空乏モードのノーマリオントランジスタであり、
前記第１のトランジスタは、前記第１の端子と前記第２の端子との間の一次電流経路内で直列に配列され、
前記デバイスは、いかなる補助電力も受電しないように構成される、
ステップと、
前記回路内を流動する全ての電流が、前記デバイスを通して流動する、またはそれによって限定されるように、前記第１の端子および前記第２の端子を前記回路内で直列電気連通するように配置するステップと、
非ゼロ電圧が前記第１の端子と前記第２の端子との間に存在するとき、
前記非ゼロ電圧を変換し、放出可能に貯蔵される電圧を取得するステップと、
前記放出可能に貯蔵される電圧を浮動させ、浮動電圧を取得するステップと、
過電流条件が前記第１の端子と前記第２の端子との間に存在するとき、
前記浮動電圧を前記第１のゲートに印加し、前記第１のトランジスタを電流限定モードに駆動するステップと、
それによって、前記第１の端子と前記第２の端子との間の電流を限定するステップと、
それによって、前記回路を前記過電流条件から保護するステップと、
を含む、方法。
（項目１８）
前記非ゼロ電圧を変換し、放出可能に貯蔵される電圧を取得するステップは、自己触媒的に起こる、項目１６に記載の方法。
（項目１９）
電圧コンバータ回路であって、
入力電圧を変換された電圧に変換するように構成される、スイッチコンデンサ回路網
を備え、
前記スイッチコンデンサ回路網は、前記入力電圧を前記変換された電圧に自己触媒的に変換するように構成される、電圧コンバータ回路。
（項目２０）
前記スイッチコンデンサ回路網は、
前記入力電圧によって充電され、前記変換された電圧を提供するために放電するように構成される、複数のコンデンサと、
「オフ」状態にあるとき、前記複数のコンデンサを並列電気連通において構成し、「オン」状態にあるとき、前記複数のコンデンサを直列電気連通において構成する、複数のトランジスタと、
を備える、項目１８に記載の電圧コンバータ回路。
（項目２１）
前記スイッチコンデンサ回路網は、
前記入力電圧によって充電され、前記変換された電圧を提供するために放電するように構成される、複数のコンデンサと、
順方向にバイアスされるとき、前記複数のコンデンサを並列電気連通において構成し、逆方向にバイアスされるとき、前記複数のコンデンサを直列電気連通において構成する、複数のダイオードと、
を備える、項目１８に記載の電圧コンバータ回路。
（項目２２）
ゲートを有するトランジスタを駆動する方法であって、前記方法は、
入力電圧を自己触媒的に変換し、放出可能に貯蔵される電圧を取得するステップと、
前記放出可能に貯蔵される電圧を前記ゲートに印加し、それによって、前記トランジスタを駆動するステップと、
を含む、方法。